(57)【要約】【課題】掃除機本体にホース、延長管及び吸込具を接続した収納状態での持ち運び時の重量バランスを向上し、収納状態での持ち運び性の向上を図る電気掃除機を提供することを目的とする。【解決手段】塵埃を集塵する集塵室を有する掃除機本体１と、掃除機本体１に接続されるホース４と、ホース４に接続される延長管３と、延長管３に接続される吸込具２とを備え、掃除機本体１に、掃除機本体１を直立させた状態で延長管３を係止する係止部２３を形成した電気掃除機において、掃除機本体１の前方に、掃除機本体１に対して上方回動位置と前方回動位置とに回動可能なハンドル１１を形成し、ハンドル１１を前方回動位置に回動させる手段を設ける。【選択図】  図２
2014221130.tif 000002
【特許請求の範囲】
【請求項１】
塵埃を集塵する集塵室を有する掃除機本体と、前記掃除機本体に接続されるホースと、前記ホースに接続される延長管と、前記延長管に接続される吸込具とを備え、前記掃除機本体に、前記掃除機本体を直立させた状態で前記延長管を係止する係止溝を形成した電気掃除機において、前記掃除機本体の前方に、前記掃除機本体に対して上方回動位置と前方回動位置とに回動可能なハンドルを形成し、前記ハンドルを前方回動位置に回動させる手段を設けたことを特徴とする電気掃除機。
【請求項２】
前記ハンドルを自重により前方回動位置に回動させることを特徴とする請求項１記載の電気掃除機。
【請求項３】
前記ハンドルを前方回動位置に回動させる弾性体を設けたことを特徴とする請求項１記載の電気掃除機。
【請求項４】
前記ハンドルは、前記ハンドルの上方回動位置で、障害物に接触する箇所を後方になるに従って外側に広がる形状に形成したことを特徴とする請求項１〜３のいずれか１項に記載の電気掃除機。
【請求項５】
前記ハンドルの外郭を軟質材にて構成したことを特徴とする請求項１〜４のいずれか１項に記載の電気掃除機。
【発明の詳細な説明】
【技術分野】
【０００１】
本発明は、電気掃除機に関し、特に、掃除機本体の前部にハンドルを備えた電気掃除機に関する。
【背景技術】
【０００２】
従来、この種の電気掃除機においては、掃除機本体に、掃除機本体を持ち上げる際に把持するハンドルが取り付けられており、掃除機本体を垂直に立てた収納状態から直ちに掃除機本体を持ち運び可能にするため、ハンドルは掃除機本体よりも前方に突設して形成している（例えば、特許文献１参照）。
【０００３】
図７は、特許文献１に記載された従来の電気掃除機２００を示す斜視図である。図７に示すように、電気掃除機２００は、吸引風を発生させる電動送風機及び塵埃を集塵する集塵室（いずれも図示せず）を内蔵する掃除機本体２０１と、被清掃面の塵埃を吸引する吸込具２０２と、一端に吸込具２０２を着脱自在に接続する伸縮自在或いは継ぎ自在の延長管２０３と、一端に延長管２０３の他端を着脱自在に接続し、他端を掃除機本体２０１に着脱自在に接続するホース２０４と、から構成されている。ホース２０４の延長管２０３側の端部には、使用者が掃除の際に保持する把手部２０５を有する先端パイプ２０６が設けられている。掃除機本体２０１の後方両側には、走行用の車輪２０７が回転自在に取り付けられ、掃除機本体２０１の前方底面には、走行用のキャスター（図示せず）が回転自在に取り付けられている。掃除機本体の前方の上部には、使用者が掃除機本体２０１を持ち運ぶ際に使用するハンドル２０８が設けられている。
【０００４】
そして、従来の電気掃除機２００においては、掃除機本体２０１の背面を床面に接地して直立状態とし、延長管２０３に設けた係止部（図示せず）を掃除機本体２０１の底面側に形成した係合部（図示せず）に係止し、掃除機本体２０１に、ホース２０４、延長管２０３、吸込具２０２を接続した状態で収納する。
【０００５】
この収納状態において、ハンドル２０８を把持して、掃除機本体２０１に、ホース２０４、延長管２０３、吸込具２０２を接続した状態のまま電気掃除機２００を持ち運ぶ。
【先行技術文献】
【特許文献】
【０００６】
【特許文献１】特開２００８−２１２３８８号公報
【発明の概要】
【発明が解決しようとする課題】
【０００７】
しかしながら、ハンドル２０８は、掃除機本体２０１へのホース２０４の着脱操作の邪魔にならないように掃除機本体２０１の上方に配置されるのに対し、延長管２０３を係止する係合部は掃除機本体２０１の底面側に形成されているため、ハンドル２０８を把持して電気掃除機２００を持ち上げた際には、重量バランスが悪く、大きく傾斜して持ち運び難いと共に、傾斜が大きいために持ち運ぶ際の揺れ等により延長管の係止が外れて落下し、床面を傷つける虞があった。
【０００８】
本発明は、前記従来の課題を解決するもので、掃除機本体にホース、延長管及び吸込具を接続した収納状態での持ち運び時の重量バランスを向上し、収納状態での持ち運び性の向上を図る電気掃除機を提供することを目的とする。
【課題を解決するための手段】
【０００９】
前記従来の課題を解決するために、本発明は、塵埃を集塵する集塵室を有する掃除機本体と、前記掃除機本体に接続されるホースと、前記ホースに接続される延長管と、前記延長管に接続される吸込具とを備え、前記掃除機本体に、前記掃除機本体を直立させた状態で前記延長管を係止する係止部を形成した電気掃除機において、前記掃除機本体の前方に、前記掃除機本体に対して上方回動位置と前方回動位置とに回動可能なハンドルを形成し、前記ハンドルを前方回動位置に回動させる手段を設けたことを特徴とするものである。
【発明の効果】
【００１０】
本発明の電気掃除機によれば、収納状態における持ち運び性を向上することができる等の効果を奏する。
【図面の簡単な説明】
【００１１】
【図１】本発明の実施の形態１における電気掃除機を示す外観斜視図
【図２】本発明の実施の形態１におけるハンドルの可動範囲を示す掃除機本体の側面図
【図３】本発明の実施の形態１における掃除機本体の側面図とハンドルの形状を示すハンドルのアーム部の断面図で、（ａ）は通常位置１６でのハンドルが障害物に接触する部分の断面図、（ｂ）はハンドルの上方回動状態でのハンドルが障害物に接触する部分の断面図
【図４】本発明の実施の形態２におけるハンドルの構成を説明するハンドルの断面図で、（ａ）は上方回動状態の断面図、（ｂ）は通常状態の断面図
【図５】本発明の実施の形態２におけるハンドルの可動範囲を説明する掃除機本体側面図
【図６】本発明の実施の形態３におけるハンドルの構成を説明するハンドルの断面図
【図７】従来の電気掃除機の全体を示す外観斜視図
【発明を実施するための形態】
【００１２】
第１の発明は、塵埃を集塵する集塵室を有する掃除機本体と、前記掃除機本体に接続されるホースと、前記ホースに接続される延長管と、前記延長管に接続される吸込具とを備え、前記掃除機本体に、前記掃除機本体を直立させた状態で前記延長管を係止する係止部を形成した電気掃除機において、前記掃除機本体の前方に、前記掃除機本体に対して上方回動位置と前方回動位置とに回動可能なハンドルを形成し、前記ハンドルを前方回動位置に回動させる手段を設けたことを特徴とするものである。
【００１３】
これにより、電気掃除機の収納状態で、ハンドルが前方回動位置に回動できるので、ハンドルと延長管の係止部が接近し、収納状態で電気掃除機を持ち上げる際に電気掃除機が大きく傾くことなく、安定した状態を維持して移動可能となる。ホースの掃除機本体への着脱操作時には、ハンドルを上方に回動させて操作することができるので、着脱操作の邪魔になることはなく、操作性を損なうことがない。
【００１４】
第２の発明は、第１の発明において、前記ハンドルを自重により前方回動位置に回動させるものである。この構成により、ハンドルの回動機構を簡素化することができ、安価に構成することができる。
【００１５】
第３の発明は、第１の発明において、前記ハンドルを前方回動位置に回動させる弾性体を設けるものである。この構成により、電気掃除機の収納状態においても、ハンドルを前方回動位置に回動させることができ、ハンドルを高い位置に維持することができるので、ハンドルを持ち易くでき、操作性を向上することができる。
【００１６】
第４の発明は、第１〜第３のいずれかの発明において、前記ハンドルは、前記ハンドルの上方回動位置で、障害物に接触する箇所を後方になるに従って外側に広がる形状に形成したものである。この構成により、障害物に接触してハンドルが上方に回動すると、障害物が接触する箇所を後方になるに従って外側に広がる形状に形成しているので、障害物から離脱し易くなり、掃除作業性を向上できる。
【００１７】
第５の発明は、第１〜第４のいずれかの発明において、前記ハンドルの外郭を軟質材にて構成したものである。家具等に衝突した場合でも、家具等の傷付きを防止することができる。
【００１８】
以下、図面を参照しながら本発明の電気掃除機の実施の形態について詳細に説明する。なお、この実施の形態によって本発明が限定されるものではない。
【００１９】
（実施の形態１）
本発明の電気掃除機の実施の形態１について、図１〜図３に基づいて説明する。
【００２０】
図１は、本発明の実施の形態１における電気掃除機１００の全体を示す外観斜視図である。図１に示すように、電気掃除機１００は、掃除機本体１と、被清掃面の塵埃を吸引する吸込具２と、一端が吸込具２に着脱自在に接続される伸縮自在或いは継ぎ自在の延長管３と、一端が延長管３の他端に着脱自在に接続され、他端が掃除機本体１の前部に設けられた吸入口１ａに着脱自在に接続されるホース４と、から構成されている。
【００２１】
掃除機本体１には、前部に塵埃を収納する集塵室を形成すると共に、後部に電動送風機を収納する電動送風機室及びコードリールを収納するコードリール室（いずれも図示せず）を形成している。
【００２２】
ホース４の延長管３側の端部には、使用者が掃除の際に保持する把手部５を有する先端パイプ６が設けられている。また、ホース４の掃除機本体１側の端部には、掃除機本体１の吸入口１ａに着脱自在に接続される接続パイプ７が設けられている。
【００２３】
掃除機本体１は、主として、掃除機本体１の下面を形成する下部材８と、掃除機本体１の上面を覆う蓋体９と、掃除機本体１の側面を形成するカバー体１０と、から構成されており、蓋体９は掃除機本体１に開閉自在に取り付けられている。カバー体１０の前方側には、前方側に向かって開口する係止部２３が形成され、係止部２３に延長管３に設けたストッパー（図示せず）を係止して延長管３を保持可能にしている。また、掃除機本体１の後方の両側には、走行用の車輪１４が回転自在に取り付けられ、掃除機本体１の下面の前方には、走行用のキャスター１５が回転自在に取り付けられている。
【００２４】
掃除機本体１の前方の上部には、ハンドル１１が設けられており、ハンドル１１は、使用者が掃除機本体１を持ち運ぶ際に使用する把持部１２と、掃除機本体１に回動自在に軸支されるアーム部１３により構成され、略Ｕ字状に形成されている。
【００２５】
図２は、本発明の実施の形態１におけるハンドル１１の可動範囲を示す掃除機本体側面図である。図２に示すように、ハンドル１１は、前方に回動した通常位置１６と、上方に回動した上方回動位置１７との間を回動自在に形成しており、自重により通常位置１６に回動するようになっている。
【００２６】
本実施の形態１においては、ハンドル１１を前方に回動した通常位置１６とするための手段として、自重を用いている。ハンドル１１が自重により通常位置１６に回動する構成とすることにより、ハンドル１１の回動機構を簡素化することができ、安価に構成するこ
とができる。
【００２７】
図３は、本発明の実施の形態１におけるハンドル１１の回動位置とハンドル１１が障害物と接触する位置におけるハンドル１１の形状を示す図で、（ａ）が通常位置１６を示し、（ｂ）が上方回動位置１７を示している。
【００２８】
ハンドル１１の通常位置１６では、図３における掃除機本体１側面図の（ａ）に示すように、ハンドル１１の把持部１２あるいは把持部１２両側のアーム部１３が障害物に接触する。把持部１２は、図３（ａ）に示すように、使用者が把持しやすいように全体的に丸みを帯びた矩形に形成している。
【００２９】
ハンドル１１が障害物に接触して上方に回動した上方回動位置１７では、図３における掃除機本体１側面図の（ｂ）に示すように、ハンドル１１のアーム部１３が障害物に接触する。アーム部１３は、図３（ｂ）に示すように、前方から後方に向かって漸次広がる形状に形成しており、掃除操作に伴う掃除機本体１の移動によって障害物を回避し易い形状に形成している。
【００３０】
以上のように構成された電気掃除機１００について、以下、その動作及び作用を説明する。
【００３１】
電気掃除機１００にて被清掃面を清掃する際には、使用者は、把手部５を把持して操作することにより吸込具２から塵埃等を吸引する。掃除機本体１は、車輪１４とキャスター１５が接地した状態で、把手部５の操作に伴ってホース４に引かれて移動する。掃除操作に伴う掃除機本体１の移動時に、掃除機本体１が家具に衝突し、家具に傷を付けてしまう場合がある。
【００３２】
本実施の形態においては、ハンドル１１は、図２の実線に示すように、掃除機本体１の進行方向に位置し、ハンドル１１が障害物に衝突した際には、ハンドルは軸（図示せず）を中心に上方に回動するように構成している。具体的には、ハンドル１１は、掃除機本体１に回動自在に軸支され、把持部１２に衝撃力が加わっていない状態においては、把持部１２の中心は通常位置１６にあり、障害物に衝突した状態においては、ハンドル１１が回動し、把持部１２が上方に回動することにより衝撃を緩衝する。
【００３３】
なお、本実施の形態１において、ハンドル１１は、ハンドル１１の回動軸に対して鉛直な位置１８よりも前方側で回動を規制している。この範囲で回動を規制することにより、ハンドル１１は、障害物から離れると、自重で通常位置１６に戻るため、使い勝手が向上する。
【００３４】
また、ハンドル１１の回動規制位置を、ハンドル１１が掃除機本体１の前面よりも前方に位置する位置１７とすることにより、障害物への衝突時の衝撃力を全てハンドル１１で受けるように構成することが好ましい。ハンドル１１は、障害物への衝突によって回動することにより、衝撃力を緩衝するため、掃除機本体１に比べて緩衝し易く、家具等の傷付をより防止することができるので、使い勝手を向上できる。
【００３５】
以上のように、本実施の形態において、ハンドル１１の把持部１２の中心は、通常使用時には掃除機本体１前方に突出した通常位置１６にあり、ハンドル１１が障害物に衝突した際には、ハンドル１１は後方に回動し、把持部１２の中心は、通常位置１６から上方回動位置１７までの範囲で回動する構成としている。使用者が被清掃面を清掃中に、掃除機本体１が障害物に衝突した際には、ハンドル１１が障害物に当たって回動することで、衝撃力の一部がハンドル１１の回動力に使用されることに加え、回動することにより緩衝し
、家具等への傷付を十分防止することができ、電気掃除機１００の使い勝手を向上させることができる。
【００３６】
さらに、図２に示すように、本実施の形態において、ハンドル１１は通常状態では、把持部１２がハンドル１１の最前面に位置し、障害物に衝突して上方に回動した上方回動位置１７では、アーム部１３の前面がハンドル１１の最前面に位置するよう構成しており、アーム部１３は、図３（ｂ）に示すように、掃除機本体１を障害物から逃がす方向に導く傾斜面または曲面に形成している。清掃中に、掃除機本体１が障害物に衝突した際には、ハンドル１１の回動により衝撃を緩和した後、アーム部１３の傾斜面または曲面により障害物から容易に離脱することができ、電気掃除機１００の使用性が向上する。
【００３７】
ハンドル１１は、通常状態では、前方側に回動しているが、容易に上方に回動することができるため、ホース４の掃除機本体１への着脱操作の邪魔になることはない。
【００３８】
電気掃除機１００を収納する際には、掃除機本体１背面を接地させて直立状態にし、吸込具２と延長管３を接続したホース４を掃除機本体１に接続した状態で、延長管３のストッパーを係止部２３に係止して収納状態にする。
【００３９】
従来の電気掃除機においては、把手部は掃除機本体の車輪が接地した状態で把持しやすいように掃除機本体の上方に位置しているのに対して、延長管係止用の係止部は、掃除機本体の底面に形成されており、把手部を把持して収納状態の電気掃除機を持ち上げる際には、重量バランスが悪く、大きく傾斜して持ち運び難いと共に、傾斜が大きいために持ち運ぶ際の揺れ等により延長管の係止が外れて落下し、床面を傷つける虞があった。
【００４０】
本発明の電気掃除機では、電気掃除機の収納状態で、ハンドル１１の把持部１２の下方位置近傍に延長管３の係止部２３を形成しているので、収納状態で電気掃除機１００を持ち上げる際に電気掃除機１００が大きく傾くことなく、安定した状態を維持して移動可能となる。また、ハンドル１１が回動可能となっているため、移動時に発生する振動をハンドル１１の回動により吸収することができ、不意に電気掃除機１００が傾く等の不安定な状態になるのを防止でき、収納状態での運搬性を向上することができる。
【００４１】
本発明の電気掃除機１００の係止部２３は、掃除機本体１のコードリール室側のカバー体１０に形成することが好ましい。コードリール室の反対側には重量物である電動送風機が内蔵されるため、吸込具２が接続された延長管３を軽量物であるコードリールが収納されるコードリール室側に係止することにより、電気掃除機１００を持ち運ぶ際の電気掃除機１００の左右方向の重量バランスを改善することができる。
【００４２】
また、係止部２３は、両側のカバー体１０に形成することもできる。両側のカバー体１０に形成することにより、収納場所や使用状態などに応じて左右どちらの係止部２３にでも延長管３を係止することができ、使用勝手を向上することができる。
【００４３】
さらに、従来と同様に係止部２３は掃除機本体１の底面側に形成してもよい。係止部２３を掃除機本体１の底面側に形成した場合でも、係止部２３とハンドル１１の把持部１２との間隔を狭くすることができ、重量バランスを改善して、収納状態での運搬性を向上することができる。
【００４４】
（実施の形態２）
本発明の電気掃除機１００の実施の形態２について、図４及び図５を用いて説明する。なお、上述した実施の形態１と同一構成部品については同一符号を付して、その説明を省略する。
【００４５】
図４は、本発明の実施の形態２におけるハンドル１１の構成を説明するハンドル１１の断面図で、（ａ）は上方回動状態を示し、（ｂ）は通常状態を示している。
【００４６】
ハンドル１１の軸１９には、キックバネＡ２０が設けられており、キックバネＡ２０の一端は、掃除機本体１に固定し、他端はハンドル１１に当接させている。
【００４７】
ハンドル１１は、軸１９に設けられたキックバネＡ２０の弾性力により、図４（ｂ）に示す通常位置に位置しており、掃除機本体１が障害物に衝突するなどにより後ろ方向に外力が加わると、軸１９を中心に後方に回動して図４（ａ）に示す上方回動位置に回動し、外力がなくなると、キックバネＡ２０の付勢力により通常位置に回動する。ハンドル１１には、軸１９近傍に、掃除機本体１に当接することにより前方向および上方向への回動を規制する規制機構（図示せず）を形成している。
【００４８】
また、図５に示すように、ハンドル１１は、電気掃除機１００の収納状態で、把持部１２の略下方に電気掃除機１００の重心２１が位置するよう構成している。
【００４９】
したがって、図５に示すように、電気掃除機１００の収納状態で持ち運ぶ際には、把持部１２が電気掃除機１００の重心２１の鉛直線上に位置するため、掃除機本体１を持ち上げた際の電気掃除機１００の重心２１の変移による使用者の腕への負担を軽減することができ、電気掃除機１００の運搬性を向上でき、使い勝手を向上させられるようになる。
【００５０】
ハンドル１１は、キックバネＡ２０により前方回動位置に維持されるので、電気掃除機１００の収納状態では、ハンドル１１は高い位置に維持され、使用者が把持部１２を容易に把持することができ、使用勝手を向上することができる。
【００５１】
（実施の形態３）
本発明の電気掃除機１００の実施の形態３について、図６を用いて説明する。なお、上述した実施の形態１及び実施の形態２と同一構成部品については同一符号を付して、その説明を省略する。
【００５２】
図６は、本発明の実施の形態３におけるハンドル１１の構成を説明するハンドル１１の断面図である。
【００５３】
図６に示すように、本実施の形態においては、掃除機本体１はハンドル１１の回動中心となる軸１９にキックバネＢ２２を設け、キックバネＢ２２の一端は、掃除機本体１に固定され、他端はハンドル１１に当接されており、キックバネＢ２２によりハンドル１１を前方に付勢すると共に、ハンドル１１の後方への回動を規制している。
【００５４】
このように構成された電気掃除機１００について、以下、その動作及び、作用を説明する。
【００５５】
ハンドル１１は、軸１９に設けられたキックバネＢ２２の弾性力により付勢されて通常位置に回動しており、ハンドル１１が障害物に衝突し、後ろ方向に外力が加わると、キックバネＢ２２を押し縮めながら軸１９中心に後方に回動し、外力がなくなれば、キックバネＢ２２の弾性力により通常位置１６に戻る。したがって、衝撃力は、変形量が大きいキックバネＢ２２に伝達されることにより、衝撃力をより緩和させることができ、より大きな衝撃でも家具等の障害物への傷付を防止することができ、電気掃除機１００の使い勝手を向上させられるようになる。
【００５６】
なお、本実施の形態３においては、ハンドル１１が通常位置１６に配置されている際にも、キックバネＢ２２により付勢されている構成としたが、回動の途中からキックバネＢ２２により付勢される場合においても、本発明の緩衝作用を向上させる効果が得られ、電気掃除機１００の使い勝手が向上する。通常位置から付勢されていると、ハンドル１１の位置が安定し、清掃中に振動により動くこともなく、また、掃除機本体１を垂直状態に置いてハンドル１１を持とうとした際には、高い位置にハンドル１１がありより屈まずに掃除機本体１が持ち上げられるので、通常位置１６からキックバネＢ２２で付勢されている方がなおよい。
【００５７】
以上、本発明の実施の形態１、実施の形態２および実施の形態３について説明したが、本発明の電気掃除機１００は上述した実施の形態１、実施の形態２及び実施の形態３に限定されるものではない。
【００５８】
上述した実施の形態１、実施の形態２及び実施の形態３においては、ハンドル１１のアーム部１３に掃除機本体１を障害物から逃がす方向に導く曲面が形成されている構成について説明したが、障害物から逃がす方向に導く傾斜面（図示せず）が形成されていてもよい。この構成においても、掃除機本体１を導くことができるため、使用者は掃除機本体１が障害物に衝突した際もそのまま掃除機本体１は移動可能となるので、電気掃除機１００の使い勝手を向上させることができる。
【００５９】
また、上述した実施の形態３においては、キックバネＢ２２によりハンドル１１の上方への回動を規制したが、ハンドル１１と掃除機本体１との接触部分に復元力のある変形しやすい軟質材が配置されていればよい。
【００６０】
ハンドル１１の外郭が軟質材で構成することにより緩衝性能を向上させることができ、電気掃除機１００の使い勝手を向上させることができる。
【産業上の利用可能性】
【００６１】
本発明の電気掃除機は、後方へ可動なハンドルを掃除機本体前方に設けることにより、収納状態の電気掃除機の運搬性を向上することができ、電気掃除機の使い勝手を向上させることができるようになるため、家庭用電気掃除機及び産業用電気掃除機の分野・用途に好適に適用することができる。
【符号の説明】
【００６２】
１        掃除機本体
１ａ      吸入口
２        吸込具
３        延長管
４        ホース
５        把手部
６        先端パイプ
７        接続パイプ
８        下部材
９        蓋体
１０      カバー体
１１      ハンドル
１２      把持部
１３      アーム部
１４      車輪
１５      キャスター
１６      通常位置
１７      上方回動位置
１８      軸に対して鉛直な位置
１９      軸
２０      キックバネＡ
２１      電気掃除機の重心
２２      キックバネＢ
２３      係止部
１００    電気掃除機
【図１】
2014221130.tif 000003
【図２】
2014221130.tif 000004
【図３】
2014221130.tif 000005
【図４】
2014221130.tif 000006
【図５】
2014221130.tif 000007
【図６】
2014221130.tif 000008
【図７】
2014221130.tif 000009